(57)【要約】      （修正有）【課題】販促品をペットボトルに一体に包装するための容器において、販促品を収納した後でペットボトルに簡単且つ確実に取り付けることができ、陳列スペースを増すことなくペット飲料などを展示販売に供することができるようにする。【解決手段】中央にペットボトルＢの首部が貫通する開口を有する天面部２と天面部２の内外周縁から下方へ折れた内側筒部４と外側筒部５とを備え、内側筒部４の下端部にペットボトルＢのネックリングに係合する鍔部を設け、外側筒部５の下縁部には一つ以上の舌片５２を連設し、外側筒部５の下縁部に沿って舌片５２を内側へ折り曲げ、舌片５２の縁部を鍔部４１に係合させて連結することにより形成される物品収納空間Ｓに販促品ＮＧを収納する。【選択図】図６
2013151293.tif 000002
【特許請求の範囲】
【請求項１】
天面部と天面部の下面から下方へ突出したペットボトルの首部が貫通する大きさの内側筒部と天面部の外側周縁から下方へ折れた外側筒部とを備え、
前記内側筒部の下端部に前記ペットボトルのネックリングに係合する内方へ突出した鍔部が設けられ、前記外側筒部の下縁部には外方へ突出した一つ以上の舌片が連設されているとともに当該舌片の縁部に前記鍔部に係合する凹部又は凸部からなる係合部が設けられてなり、
前記外側筒部の下縁部に沿って舌片を内側へ折り曲げ、舌片の縁部を前記鍔部に係合させることにより、舌片の上面と前記内外側筒部の内面とで物品収納空間が区画形成される構成を有することを特徴とするペットボトルの販促品包装用容器。
【請求項２】
中央にペットボトルの首部が貫通する開口を有する天面部と天面部の内外周縁からそれぞれ下方へ折れた内側筒部と外側筒部とを備え、
前記内側筒部の下端部に前記ペットボトルのネックリングに係合する内方へ突出した鍔部が設けられ、前記外側筒部の下縁部には外方へ突出した一つ以上の舌片が連設されているとともに当該舌片の縁部に前記鍔部に係合する凹部又は凸部からなる係合部が設けられてなり、
前記外側筒部の下縁部に沿って舌片を内側へ折り曲げ、舌片の縁部を前記鍔部に係合させることにより、舌片の上面と前記内外側筒部の内面とで物品収納空間が区画形成される構成を有することを特徴とするペットボトルの販促品包装用容器。
【請求項３】
鍔部の周縁部に、舌片の係合部が係合する被係合部が設けられた構成を有する請求項１又は２に記載のペットボトルの販促品包装用容器。
【請求項４】
略扇形をなす舌片の長辺側の弧が外側筒部の下縁部に連設された構成を有することを特徴とする請求項１〜３の何れかに記載のペットボトルの販促品包装用容器。
【請求項５】
外側筒部の下側開口を挟んだ対向位置に舌片がそれぞれ設けられた構成を有することを特徴とする請求項１〜４の何れかに記載のペットボトルの販促品包装用容器。
【請求項６】
外側筒部の周面に縦筋からなるリブが複数設けられた構成を有する請求項１〜５の何れかに記載のペットボトルの販促品包装用容器。
【請求項７】
内側筒部の鍔部をペットボトルのネックリングに係合させたときに、外側筒部がその下側開口端をペットボトルの肩部に当接させてペットボトルの首部に被さるように構成されたことを特徴とする請求項１〜６の何れかに記載のペットボトルの販促品包装用容器。
【発明の詳細な説明】
【技術分野】
【０００１】
本発明は、飲料容器や調味料、化粧品、医薬品などの容器として用いられているペットボトルに、アクセサリーやおもちゃなどの販促用の物品（以下、販促品という）を一体に包装してペットボトルに入れられた飲料などを販売に供するための包装用容器に関する。
【背景技術】
【０００２】
ペットボトル入りのミネラルウォーターやお茶などのペット飲料を、販促品を添えて販売するための包装用容器として、例えば図１０に示されるように、ペットボトルＢのキャップに取り付けられる取付部材１０１と、取付部材１０１に着脱自在なカップ本体１０２からなり、前記キャップ上面に装着してペットボトルＢの頂部に固定された取付部材１０１にカップ本体１０２を被せ、販促品ＮＧを取付部材１０１とカップ本体１０２の間の空間に収納して包装する構成のものが知られている（例えば特許文献１参照）。
【０００３】
また、図１１に示されるように、中央にペットボトルＢの首部が挿通可能な大きさの開口を有する容体部２０１と、容体部２０１の上面に取り付けられる蓋部２０２からなり、上面に蓋部２０２が締着固定された容体部２０１の内側に販促品ＮＧを収納した状態で、容体部２０１をペットボトルＢの首部にスナップ的に装着することにより、ペット飲料に販促品ＮＧを添えて展示販売できるようにした構成のものが知られている（例えば特許文献２参照）。
【先行技術文献】
【特許文献】
【０００４】
【特許文献１】特開２００２−３４７７６７号公報
【特許文献２】特開２０１０−１３１３８号公報
【発明の開示】
【発明が解決しようとする課題】
【０００５】
前記図１０に示された包装用容器１００は、販促品を収納したカップ本体１０２がペットボトルＢのキャップ上方に突出するため、販促品を添えたときには上下複数段に仕切られた冷蔵内の通常の陳列スペースに陳列できなくなる事態を生じ、また、販促品を添えたペット飲料全体が嵩張るため自動販売機内のペットラックに入らなくなり、販促品を添える場合にはペット飲料の販売形態が制限されてしまうという問題がある。
【０００６】
また、図１１に示された包装用容器２００は、ペットボトルＢの首部に取り付けられた包装用容器２００の内側に販促品が押し入れられているに過ぎず、販促品は包装用容器２００で保持されてはいないため、ペット飲料の搬送中に販促品の収納位置がずれ、販促品の大きさによっては、例えば販促品がラベルやシールなどの薄肉なシート状のものである場合には、包装用容器２００の前記容体部２０１とペットボトルＢの外周面の隙間から販促品が抜け落ちてしまう虞がある。
粘着テープなどを利用して容器内部に販促品を保持したのでは、販促品の収納に手間がかかり、ペット飲料の購入者には包装用容器の内面に止着された販促品を取り剥がす面倒を強いることになる。
【０００７】
また、何れの包装用容器１００、２００も二つの部材を組み合わせて構成され、ペットボトルＢに取り付ける際にそれぞれ包装用容器１００はペットボトルＢのキャップに固定した取付部材１０１の周縁部にカップ本体１０２を弾発的に嵌合し、包装用容器２００は容体部２０１の上面に蓋部２０２を締着固定して組み立てなければならず、組み立て操作に手間を要し取り付けに時間がかかる。
さらに、何れもペットボトルＢへの包装用容器１００、２００の取り付けと販促品の収納が同時に行われるようになっており、例えば販促品の製造場所で包装用容器に販促品を収納しておき、これをペット飲料の生産場所に移送してペット飲料に販促品が収納された包装用容器を逐次取り付けることはできない。
そのため、前記包装用容器１００、２００の組み立てに手間を要することと相俟って、ペット飲料に販促品を一体に取り付ける作業に時間がかかり、包装コストが高くならざるを得ないという問題がある。
【０００８】
本発明は従来技術の有するこのような問題点に鑑み、販促品をペットボトルに一体に包装するための容器において、販促品を収納した後でこれをペットボトルの首部に簡単且つ確実に取り付けることができ、陳列スペースを増すことなく販促品が添えられたペット飲料などを展示販売に供することができるようにすることを課題とする。
【課題を解決するための手段】
【０００９】
前記課題を解決するため本発明のペットボトルの販促品包装用容器は、天面部と天面部の下面から下方へ突出したペットボトルの首部が貫通する大きさの内側筒部と天面部の外側周縁から下方へ折れた外側筒部とを備え、前記内側筒部の下端部に前記ペットボトルのネックリングに係合する内方へ突出した鍔部が設けられ、前記外側筒部の下縁部には外方へ突出した一つ以上の舌片が連設されているとともに当該舌片の縁部に前記鍔部に係合する凹部又は凸部からなる係合部が設けられてなり、前記外側筒部の下縁部に沿って舌片を内側へ折り曲げ、舌片の縁部を前記鍔部に係合させることにより、舌片の上面と前記内外側筒部の内面とで物品収納空間が区画形成される構成を有することを特徴とする。
【００１０】
また、本発明のペットボトルの販促品包装用容器は、中央にペットボトルの首部が貫通する開口を有する天面部と天面部の内外周縁からそれぞれ下方へ折れた内側筒部と外側筒部とを備え、前記内側筒部の下端部に前記ペットボトルのネックリングに係合する内方へ突出した鍔部が設けられ、前記外側筒部の下縁部には外方へ突出した一つ以上の舌片が連設されているとともに当該舌片の縁部に前記鍔部に係合する凹部又は凸部からなる係合部が設けられてなり、前記外側筒部の下縁部に沿って舌片を内側へ折り曲げ、舌片の縁部を前記鍔部に係合させることにより、舌片の上面と前記内外側筒部の内面とで物品収納空間が区画形成される構成を有することを特徴とする。
【００１１】
前記構成の包装用容器によれば、外側筒部の縁部に沿って内側に折り曲げて内側筒部の鍔部に係合させた舌片の上面と内外側筒部の内面とで区画される物品収納空間に販促品を収納することができ、収納された販促品はその周囲が前記各面で囲われ、或いは挟まれて当該空間内に保持される。そして、販促品を収納した包装用容器は、ペットボトルのキャップに上方から被せ、ペットボトルの首部に内側筒部の下側開口を宛がって押し込めば、内側筒部の鍔部がペットボトルのネックリングを乗り越えて係合し、ペットボトルの首部に一体に取り付けることができる。
【００１２】
前記構成の包装用容器において、内側に折り曲げられた舌片を鍔部に確実に係合させるため、鍔部の周縁部に、舌片の係合部が係合する凸部や凹部、スリットなどからなる被係合部が設けられた構成を有することが好ましい。前記被係合部に舌片の係合部を係合させた状態で、包装用容器をペットボトルの首部に装着すれば、ペットボトルのネックリングに鍔部の周縁とともに舌片の係合部が係合して係合強度が高まり、包装用容器がペットボトルからより外れ難くなる。
【００１３】
また、前記構成の包装用容器において、舌片はこれを外側筒部の下縁部に沿って内側へ折り曲げて鍔部に係合させることにより、その上面に販促品を収納することが可能であれば、適宜な形状のものを適宜な数だけ外側筒部の縁部に連設することができる。
舌片の一形態として、これを略扇形に形成し、その長辺側の弧を外側筒部の下縁部に連設して舌片を設けることができる。また、舌片を外側筒部の下側開口を挟んだ対向位置に一対、或いは複数対設けることができる。
略扇形に形成された舌片は、これを内側に折り曲げて鍔部に係合させると、鍔部の下縁部の周りにすり鉢状に湾曲するため、舌片の上面と内外側筒部の内面とで区画される物品収納空間の座屈強度が高められ、ペットボトルの首部に装着するときなどの容器取扱中に包装用容器に加わる上下方向の外力に対し、物品収納空間が潰れたり変形したりし難くなる。
また、外側筒部と内側筒部はそれぞれ円形断面形状又は多角断面形状に設けることができる。容器の剛性を増すため、外側筒部の周面には縦筋からなるリブが複数設けられていることが好ましい。
【００１４】
さらに、前記構成の包装用容器において、内側筒部の鍔部をペットボトルのネックリングに係合させたときに、外側筒部がその下側開口端をペットボトルの肩部に当接させてペットボトルの首部に被さるように構成することが好ましい。ペットボトルの胴部の外径より小さく外側筒部が設けられていれば、首部に包装用容器が装着されたペットボトルを支持面上に横向きに転がしても、支持面に包装用容器が当たるようなことはなく、販促品を一体に添えたペット飲料などを自動販売機のペットレールに収納して販売に供することが可能となる。
【００１５】
本発明の包装用容器は、収納した販促品が外側から見えるように透明又は半透明で、耐折性が良好な、ポリプロピレンやポリエチレン、ポリエチレンテレフタレート、ポリカーボネートなどからなるプラスチックシートを用い、これを圧空・真空成形により延伸成形して形成することが好ましい。射出成形により、舌片を折り曲げることができる程度の薄肉に形成してもよく、その材質や製法は問わない。
【図面の簡単な説明】
【００１６】
【図１】本発明の一実施形態の包装用容器が装着されたペットボトルの外観図である。
【図２】図１の包装用容器の外観図である。
【図３】図１の包装用容器の平面図である。
【図４】図３中のＩＶ−ＩＶ線に沿った断面図である。
【図５】（Ａ）、（Ｂ）は図１の包装用容器に販促品を収納する際の舌片の折り曲げ操作を説明ための図である。
【図６】図１の包装用容器の舌片を鍔部に係合させた状態の断面図である。
【図７】図１の包装用容器をペットボトルの首部に装着した状態の容器の断面図である。
【図８】（Ａ）〜（Ｃ）は本発明の他の実施形態の包装用容器の平面図である。
【図９】本発明のさらに他の実施形態の包装用容器を示す、（Ａ）は外観図、（Ｂ）は断面図、（Ｃ）はペットボトルの首部に装着した状態の要部破断外観図である。
【図１０】販促品を収納してペットボトルに装着した従来の包装用容器の概略断面図である。
【図１１】販促品を収納してペットボトルに装着した従来の他の包装用容器の概略外観図である。
【発明を実施するための形態】
【００１７】
本発明の好適な一実施形態を、図面を参照して説明する。
図１は本発明の一実施形態の包装用容器１をペットボトルＢの首部に装着した状態を示しており、同図に示されるように、この包装用容器１は天面部２の中央にキャップＣが装着されたペットボトルＢの首部Ｂ１が貫通する大きさの円形の開口３を有するとともに、前記首部Ｂ１の周囲を囲う筒体である外側筒部５を天面部２の外側周縁から下方へ垂下させてカップ状に形成してある。
【００１８】
詳しくは、図２〜図４に示されるように、包装用容器１は、前記天面部２が開口３の周囲に適宜な幅で円形リング状に設けられ、この天面部２の内外周縁に、補強のためのテーパ部２１、２１を介して、それぞれ内側周縁から下方へ折れ曲がった内側筒部４と外側周縁から下方へ折れ曲がった外側筒部５とを一体に設けて形成してある。
【００１９】
内側筒部４は、前記開口３を囲うようにして天面部２の内側周縁から適宜な長さで下方へ突出した円筒部分であり、その下端部には、ペットボトルＢのネックリングＢ２に係合する内方へ突出した鍔部４１が設けてある。この鍔部４１の周縁部には、後述する舌片５２の係合部５３が係合する部位であり、当該鍔部４１の縁部を切り欠いてなる被係合部４１ａを設けてある。
【００２０】
外側筒部５は、天面部２の外側周縁から前記内側筒部４よりも長く下方へ突出した円筒部分であり、その下縁部であって当該外側筒部５の下側開口５１を挟んだ対向位置に外方へ突出した舌片５２、５２をそれぞれ連設してある。
舌片５２、５２は、図３に示されるように、平面視略扇形に形成されており、当該扇形の長辺側の弧５２ａの曲率半径Ｒａを前記外側筒部５の下側開口５１の半径Ｒ１よりも若干大きく設定し、短辺側の弧５２ｂの曲率半径Ｒｂを前記内側筒部４の鍔部４１の内周半径Ｒ２と略同じに設定してある（Ｒａ＞Ｒ１、Ｒｂ≒Ｒ２）。また、短辺側の弧５２ａには、前記鍔部４１の被係合部４１ａに係合する、凸部からなる係合部５３、５３を一対設けてある。
両舌片５２、５２は、その長辺側の弧５２ａが外側筒部５の下縁部に連設されているとともに当該連設部に形成された折り曲げ罫線５４に沿って、包装用容器１の下部内方である、前記外側筒部５の下側開口５１側へ折り曲げることができるように設けてある。
外側筒部５は、その外径をペットボトルＢの胴径（φｐｂ、図７参照）よりも小さく設定し、前記内側筒部４の鍔部４１をペットボトルＢのネックリングＢ２に係合させたときに、外側筒部５がその下側開口５１の端部をペットボトルＢの肩部Ｂ３に当接させてペットボトルＢの首部Ｂ１に被さるように設けてある。
また、外側筒部５の周面には、縦筋からなる複数本の補強用のリブ５５を周方向に沿って所定間隔を開けて列設してある。
【００２１】
このように形成された本形態の包装用容器１は、図５に示されるように、外側筒部５の下端開口５１を上に向けた状態で舌片５２、５２を内側へ折り曲げて外側筒部５の内周面に沿って撓ませ、内側筒部４の鍔部４１の被係合部４１ａに舌片５２、５２の係合部５３を係合して、折り曲げた舌片５２、５２を鍔部４２に連結して固定しておくことができる。図６に示されるように、鍔部４２に連結された舌片５２、５２は、鍔部４２の下縁部の周りにすり鉢状に湾曲するとともに、内側筒部４と外側筒部５の内面空間を区画して、両舌片５２、５２の上面と内外側筒部４、５の内面と間に物品収納空間Ｓを形成し、この収納空間Ｓ内に販促品ＮＧを収納し、保持させておくことができる。
【００２２】
そして、図７に示されるように、販促品ＮＧを収納した包装用容器１をペットボトルＢのキャップＣに上方から被せ、ペットボトルＢの首部Ｂ１に内側筒部４の下側開口を宛がって押し込めば、内側筒部４の鍔部４１がペットボトルＢのネックリングＢ２を乗り越えて係合するとともに外側筒部５の下側開口５１の端部がペットボトルＢの肩部Ｂ３に当接してペットボトルの首部Ｂ２に一体に取り付けられ、この状態でペット飲料などを展示販売に供することができる。
また、包装用容器１は、その外周面を掴んでペットボトルＢの上方へ強く引き抜けば、ペットボトルＢの首部Ｂ１から取り外すことが可能であり、取り外した容器の舌片５２、５２と鍔部４２の係合を解除して販促品ＮＧを取り出すことができる。
【００２３】
図８は、本発明の包装用容器１の他の実施形態を示しており、同図（Ａ）は前記形態と同形状の三つの舌片５２を外側筒部５の下端縁部に周方向に等間隔を開けて連設したものであり、同図（Ｂ）、（Ｃ）はそれぞれ前記形態とは形状の異なる複数の舌片５２を外側筒部５の下端縁部に周方向に等間隔を開けて連設したものである。
図示した何れの形態も、内側筒部４の鍔部４１の周縁部に被係合部４１ａとしてスリットを設け、包装用容器１の内側へ折り曲げた各舌片５２の縁部が鍔部４１の各スリットに係合して鍔部４２に連結して固定されるように設けられており、これらの形態によっても、各舌片５２の上面と内外側筒部４、５の内面との間に区画形成される空間Ｓに販促品ＮＧを収納し保持して、ペットボトルＢの首部Ｂ１に一体に取り付けることが可能である。
【００２４】
また、図９は、本発明の包装用容器１のさらに他の実施形態を示しており、これは天面部２を前記開口３を設けずに平蓋状に形成し、天面部２の下面にペットボトルＢの首部Ｂ１が貫通する大きさの内側筒部４を設けたものである。天面部２に開口３が設けられていない点以外は、前記図１に示された包装用容器１と同様の構成である。
かかる形態の包装用容器１によっても、外側筒部５の縁部に沿って舌片５２、５２を内側に折り曲げて内側筒部４の鍔部４１に係合させ、舌片５２、５２の上面と内外側筒部４、５の内面とで区画される空間Ｓに販促品ＮＧを収納し、この販促品ＮＧを収納した包装用容器１をペットボトルＢのキャップＣに上方から被せ、ペットボトルＢのネックリングＢ２に内側筒部４の鍔部４１を係合させて、ペットボトルＢの首部Ｂ２に一体に取り付けることが可能である。
【００２５】
なお、図示した包装用容器１の構成、及びこれを構成する各部の構成は、本発明の実施形態の一例を示すものであり、本発明はこれに限定されず、他の適宜な形態で構成することが可能である。上述した実施の形態及び変形例の任意の組み合わせもまた本発明の実施の形態として有用である。組み合わせによって生じる新たな実施の形態は、組み合わされる実施の形態及び変形例それぞれの効果を併せ持つ。
【符号の説明】
【００２６】
１  包装用容器、２  天面部、２１  テーパ部、３  開口、４  内側筒部、４１  鍔部、４１ａ  被係合部、５  外側筒部、５１  下側開口、５２  舌片、５３  係合部、５４  折り曲げ罫線、５５  リブ  Ｂ  ペットボトル、Ｂ１  首部、Ｂ２  ネックリング、Ｂ３  肩部、Ｓ  物品収納空間、ＮＧ  販促品
【図１】
2013151293.tif 000003
【図２】
2013151293.tif 000004
【図３】
2013151293.tif 000005
【図４】
2013151293.tif 000006
【図５】
2013151293.tif 000007
【図６】
2013151293.tif 000008
【図７】
2013151293.tif 000009
【図８】
2013151293.tif 000010
【図９】
2013151293.tif 000011
【図１０】
2013151293.tif 000012
【図１１】
2013151293.tif 000013